【事件の表示】
　特願２０１１−５５１０４７「複数のユーザーインターフェース、環境、および／またはバーチャル・マシンをサポートするためのウェイクアップトリガ」拒絶査定不服審判事件〔平成２２年　８月２６日国際公開、ＷＯ２０１０／０９６０７０、平成２４年　８月　９日国内公表、特表２０１２−５１８２３３〕について、次のとおり審決する。
【結　論】
　本件審判の請求は、成り立たない。
【理　由】
第１．手続の経緯
　本願は、平成２１年４月１３日（パリ条約による優先権主張２００９年２月１８日，米国）を国際出願日とする出願であって、その後の手続の経緯の概略は次のとおりである。
　
出願審査請求（提出日）　　　　　　平成２３年９月６日
拒絶理由通知（起案日）　　　　　　平成２５年２月２２日
意見、手続補正（提出日）　　　　　平成２５年８月２６日
拒絶査定（起案日）　　　　　　　　平成２５年１２月１８日
拒絶査定謄本送達　　　　　　　　　平成２６年１月７日
審判請求（提出日）　　　　　　　　平成２６年５月２日
手続補正（提出日）　　　　　　　　平成２６年５月２日
前置報告（作成日）　　　　　　　　平成２６年７月１５日
上申書（提出日）                  平成２６年１０月２２日
　
第２．平成２６年５月２日付の手続補正についての補正却下の決定
　
［補正却下の決定の結論］
　平成２６年５月２日付の手続補正を却下する。
　
［理由］
１．　補正の内容
　平成２６年５月２日付の手続補正（以下、「本件補正」という。）により、特許請求の範囲は次のとおり補正された。
　
［本件補正前］
「【請求項１】
　以下の動作、
　　利用可能なリモート周辺デバイスのリストを得ることと、
　　前記利用可能なリモート周辺デバイス数と前記利用可能なリモート周辺デバイスのタイプとの両方の最小の組み合わせに基づいて、前記利用可能なリモート周辺デバイスのうちの少なくとも１つを選ぶことと、
　　前記リモートコンピューティング環境をアクティブにすることであって、前記リモートコンピューティング環境は、前記少なくとも１つの選ばれた利用可能なリモート周辺デバイスを含み、移動デバイスのローカルコンピューティング環境と比較して異なるユーザーエクスペリエンスを提供する、ことと
　を実行するためにプロセッサを用いることを含む、前記リモートコンピューティング環境をイネーブルにするための方法。
　　【請求項２】
　リモートコンピューティング環境をアクティブにすることが、
　ウェイクアップトリガを伝達することと、
　前記リモートコンピューティング環境をイネーブルにするアクティビティ状態に現在のアクティビティ状態を変えることとを含む、請求項１に記載の方法。
　　【請求項３】
　前記利用可能なリモート周辺デバイスのリストが、前記利用可能なリモート周辺デバイスの各々によってサポートされたプロトコルに応じて複数のプロトコルによって得られる、請求項１に記載の方法。
　　【請求項４】
　前記ローカルコンピューティング環境が、スタンバイモードである、請求項１に記載の方法。
　　【請求項５】
　前記ローカルコンピューティング環境が、ローカル処理を実行している、請求項１に記載の方法。
　　【請求項６】
　前記リモートコンピューティング環境が、前記少なくとも１つの選ばれた利用可能なリモート周辺デバイスへのごく近接した接続に基づいて、自動でアクティブにされる、請求項１に記載の方法。
　　【請求項７】
　前記リモートコンピューティング環境が、前記利用可能なリモート周辺デバイスのうちの１つ以上への接続性を有するドッキングステーションとの相互作用に応じて、自動でアクティブにされる、請求項１に記載の方法。
　　【請求項８】
　前記リモートコンピューティング環境が、ワイヤレスハブへのごく近接した接続に応じて、自動でアクティブにされる、請求項１に記載の方法。
　　【請求項９】
　前記利用可能なリモート周辺デバイスのリストが、発見プロセスに基づいて得られ、前記発見プロセスが、自動で、手動で、またはその組み合わせで、発生させられる、請求項１に記載の方法。
　　【請求項１０】
　前記利用可能なリモート周辺デバイスのうちの少なくとも１つを選ぶことが、
　前記利用可能なリモート周辺デバイスのうちの２つ以上が同様の機能を提供することを確かめることと、
　ルールのセットとの適合に基づいて、前記２つ以上の周辺デバイスのうちの１つを選択することと
　を含む、請求項１に記載の方法。
　　【請求項１１】
　前記ルールのセットが、ワイヤレスリンクよりも有線リンクを選択すること、より弱いワイヤレスリンクよりもより強いワイヤレスリンクを選択すること、または、その組み合わせを含む、請求項１０に記載の方法。
　　【請求項１２】
　前記少なくとも１つの選ばれたリモート周辺デバイスの利用可能性を監視することと、
　前記少なくとも１つの選ばれたリモート周辺デバイスがもはや利用可能でなければ、前記リモートコンピューティング環境を選択的に非アクティブにすることと
　をさらに含む、請求項１に記載の方法。
　　【請求項１３】
　ローカル処理を実行することと、利用可能なリモート周辺デバイスのリストを集めることと、前記利用可能なリモート周辺デバイス数と前記利用可能なリモート周辺デバイスのタイプとの両方の最小の組み合わせに基づいて前記利用可能なリモート周辺デバイスのうちの１つ以上を選択することと、前記選択された利用可能なリモート周辺デバイスを含み、移動デバイスのローカルコンピューティング環境と比較して異なるユーザーエクスペリエンスを提供する、リモートコンピューティング環境をイネーブルにすることと、に関連する命令を保持するメモリと、
　前記メモリに結合され、前記メモリに保持された前記命令を実行するように構成されたプロセッサと
　を含む、ワイヤレス通信装置。
　　【請求項１４】
　前記メモリは、前記利用可能なリモート周辺デバイスのうちの１つ以上を選択した後、
ウェイクアップトリガをアクティブにすることと、現在のアクティビティ状態を前記リモートコンピューティング環境をイネーブルにするより高いアクティビティ状態に変えることと、に関連する命令をさらに保持する、請求項１３に記載のワイヤレス通信装置。
　　【請求項１５】
　前記リモートコンピューティング環境が、前記選択されたリモート周辺デバイスのうちの少なくとも１つへのごく近接した接続に基づいて、自動でイネーブルにされる、請求項１３に記載のワイヤレス通信装置。
　　【請求項１６】
　前記リモートコンピューティング環境が、前記利用可能なリモート周辺デバイスのうちの１つ以上への接続性を有するドッキングステーションとの相互作用に応じて、自動でイネーブルにされる、請求項１３に記載のワイヤレス通信装置。
　　【請求項１７】
　前記リモートコンピューティング環境が、ワイヤレスハブへのごく近接した接続に応じて、自動でイネーブルにされる、請求項１３に記載のワイヤレス通信装置。
　　【請求項１８】
　前記利用可能なリモート周辺デバイスのリストが、２つ以上のプロトコルを利用する発見プロセスに基づいて得られ、前記発見プロセスが、自動で、手動で、またはその組み合わせで発生させられる、請求項１３に記載のワイヤレス通信装置。
　　【請求項１９】
　前記メモリが、前記利用可能なリモート周辺デバイスのうちの２つ以上が同様の機能を提供すると判定することと、ルールのセットとの適合に基づいて前記２つ以上の周辺デバイスのうちの１つを選ぶことと、に関連する命令をさらに保持する、請求項１３に記載のワイヤレス通信装置。
　　【請求項２０】
　前記メモリが、前記選択されたリモート周辺デバイスの利用可能性を監視することと、
前記選択されたリモート周辺デバイスがもはや利用可能でなければ前記リモートコンピューティング環境を選択的に非アクティブにすることと、に関連する命令をさらに保持する、請求項１３に記載のワイヤレス通信装置。
　　【請求項２１】
　利用可能なリモート周辺デバイスのリストにアクセスするための手段と、
　前記利用可能なリモート周辺デバイス数と前記利用可能なリモート周辺デバイスのタイプとの両方の最小の組み合わせに基づいて、前記利用可能なリモート周辺デバイスのうちの少なくとも１つを選択するための手段と、
　前記リモートコンピューティング環境をイネーブルにするための手段であって、前記リモートコンピューティング環境は、前記少なくとも１つの選ばれた利用可能なリモート周辺デバイスを含み、移動デバイスのローカルコンピューティング環境と比較して異なるユーザーエクスペリエンスを提供する手段と、
　を含む、前記リモートコンピューティング環境をイネーブルにするワイヤレス通信装置。
　　【請求項２２】
　前記リモートコンピューティング環境が、前記選択されたリモート周辺デバイスへのごく近接した接続に基づいて、前記利用可能なリモート周辺デバイスのうちの１つ以上への接続性を有するドッキングステーションとの相互作用に基づいて、または、ワイヤレスハブへのごく近接した接続に基づいて、自動でイネーブルにされる、請求項２１に記載のワイヤレス通信装置。
　　【請求項２３】
　　利用可能なリモート周辺デバイスのリストを得るように、コンピュータにさせるための第１のコードのセットと、
　　前記利用可能なリモート周辺デバイス数と前記利用可能なリモート周辺デバイスのタイプとの両方の最小の組み合わせに基づいて、前記利用可能なリモート周辺デバイスのうちの少なくとも１つを選ぶように、前記コンピュータにさせるための第２のコードのセットと、
　　リモートコンピューティング環境をアクティブにするように、前記コンピュータにさせるための第３のコードのセットと、前記リモートコンピューティング環境は、前記少なくとも１つの選ばれた利用可能なリモート周辺デバイスを含み、移動デバイスのローカルコンピューティング環境と比較して異なるユーザーエクスペリエンスを提供する、
　を含むコンピュータプログラム。
　　【請求項２４】
　利用可能なリモート周辺デバイスのリストを得るように構成された第１のモジュールと、
　前記利用可能なリモート周辺デバイス数と前記利用可能なリモート周辺デバイスのタイプとの両方の最小の組み合わせに基づいて、前記利用可能なリモート周辺デバイスのうちの少なくとも１つを選ぶように構成された第２のモジュールと、
　前記リモートコンピューティング環境をアクティブにするように構成された第３のモジュールであって、前記リモートコンピューティング環境は、前記少なくとも１つの選ばれた利用可能なリモート周辺デバイスを含み、移動デバイスのローカルコンピューティング環境と比較して異なるユーザーエクスペリエンスを提供する、第３のモジュールと、を含む、前記リモートコンピューティング環境をイネーブルにするように構成された少なくとも１つのプロセッサ。
　　【請求項２５】
　異なる無線プロトコルに関する情報を集約することと、をさらに備える請求項１に記載の方法。
　　【請求項２６】
　前記プロセッサに結合され、異なる無線プロトコルに関連する情報を集約するように構成されたサービス発見集約部、をさらに備える請求項１３に記載のワイヤレス通信装置。
　　【請求項２７】
　前記コンピュータプログラムはさらに、前記少なくとも１つの選ばれたリモート周辺デバイスの接続性に基づいて、前記リモートコンピューティング環境を選択的に非アクティブにするように、前記コンピュータにさせるための第４のコードのセット、を備える、請求項２３に記載のコンピュータプログラム。
　　【請求項２８】
　前記プロセッサはさらに、前記少なくとも１つのリモート周辺デバイスがもはや利用可能でなければ前記リモートコンピューティング環境を選択的に非アクティブにするように構成された第４のモジュールを備える、請求項２４に記載のプロセッサ。
　　【請求項２９】
　前記プロセッサは、前記移動デバイスと結合される、請求項１３に記載のワイヤレス通信装置。
　　【請求項３０】
　前記選択するための手段は、前記移動デバイスと結合される、請求項２１に記載のワイヤレス通信装置。
　　【請求項３１】
　前記コンピュータプログラムは、前記移動デバイスと結合される、請求項２３に記載のコンピュータプログラム。
　　【請求項３２】
　前記第２モジュールは、前記移動デバイスと結合される、請求項２４に記載のワイヤレス通信装置。
　　【請求項３３】
　前記リモートコンピューティング環境は、ローカルコンピューティング環境と同一の時間にアクティブにされる、請求項２４に記載のプロセッサ。」
　（以下、この特許請求の範囲に記載された請求項を「補正前請求項」という。）
　
［本件補正後］
「【請求項１】
　以下の動作、
　　利用可能なリモート周辺デバイスのリストを得ることと、
　　前記利用可能なリモート周辺デバイス
の要求
前記要求数の要求される
を規定する最小閾値のルールを満たす
２
自動で
　　前記リモートコンピューティング環境をアクティブにすることであって、前記リモートコンピューティング環境は、前記少なくとも
２
　を実行するためにプロセッサを用いることを含む、前記リモートコンピューティング環境をイネーブルにするための方法。
　　【請求項２】
　リモートコンピューティング環境をアクティブにすることが、
　ウェイクアップトリガを伝達することと、
　前記リモートコンピューティング環境をイネーブルにするアクティビティ状態に現在のアクティビティ状態を変えることとを含む、請求項１に記載の方法。
　　【請求項３】
　前記利用可能なリモート周辺デバイスのリストが、前記利用可能なリモート周辺デバイスの各々によってサポートされたプロトコルに応じて複数のプロトコルによって得られる、請求項１に記載の方法。
　　【請求項４】
　前記ローカルコンピューティング環境が、スタンバイモードである、請求項１に記載の方法。
　　【請求項５】
　前記ローカルコンピューティング環境が、ローカル処理を実行している、請求項１に記載の方法。
　　【請求項６】
　前記リモートコンピューティング環境が、前記少なくとも１つの選ばれた利用可能なリモート周辺デバイスへのごく近接した接続に基づいて、自動でアクティブにされる、請求項１に記載の方法。
　　【請求項７】
　前記リモートコンピューティング環境が、前記利用可能なリモート周辺デバイスのうちの１つ以上への接続性を有するドッキングステーションとの相互作用に応じて、自動でアクティブにされる、請求項１に記載の方法。
　　【請求項８】
　前記リモートコンピューティング環境が、ワイヤレスハブへのごく近接した接続に応じて、自動でアクティブにされる、請求項１に記載の方法。
　　【請求項９】
　前記利用可能なリモート周辺デバイスのリストが、発見プロセスに基づいて得られ、前記発見プロセスが、自動で、手動で、またはその組み合わせで、発生させられる、請求項１に記載の方法。
　　【請求項１０】
　前記利用可能なリモート周辺デバイスのうちの少なくとも
２
　前記利用可能なリモート周辺デバイスのうちの２つ以上が同様の機能を提供することを確かめることと、
　ルールのセットとの適合に基づいて、
前記同様の機能を提供する
利用可能な
　を含む、請求項１に記載の方法。
　　【請求項１１】
　前記ルールのセットが、ワイヤレスリンクよりも有線リンクを選択すること、より弱いワイヤレスリンクよりもより強いワイヤレスリンクを選択すること、または、その組み合わせを含む、請求項１０に記載の方法。
　　【請求項１２】
　前記少なくとも
２
　前記少なくとも
２
のうちの少なくとも１つ
　をさらに含む、請求項１に記載の方法。
　　【請求項１３】
　ローカル処理を実行することと、利用可能なリモート周辺デバイスのリストを集めることと、前記利用可能なリモート周辺デバイス
の要求
前記要求数の要求される
を規定する最小閾値のルールを満たす
２
自動で
　前記メモリに結合され、前記メモリに保持された前記命令を実行するように構成されたプロセッサと
　を含む、ワイヤレス通信装置。
　　【請求項１４】
　前記メモリは、前記利用可能なリモート周辺デバイスのうちの１つ以上を選択した後、
ウェイクアップトリガをアクティブにすることと、現在のアクティビティ状態を前記リモートコンピューティング環境をイネーブルにするより高いアクティビティ状態に変えることと、に関連する命令をさらに保持する、請求項１３に記載のワイヤレス通信装置。
　　【請求項１５】
　前記リモートコンピューティング環境が、前記選択されたリモート周辺デバイスのうちの少なくとも１つへのごく近接した接続に基づいて、自動でイネーブルにされる、請求項１３に記載のワイヤレス通信装置。
　　【請求項１６】
　前記リモートコンピューティング環境が、前記利用可能なリモート周辺デバイスのうちの１つ以上への接続性を有するドッキングステーションとの相互作用に応じて、自動でイネーブルにされる、請求項１３に記載のワイヤレス通信装置。
　　【請求項１７】
　前記リモートコンピューティング環境が、ワイヤレスハブへのごく近接した接続に応じて、自動でイネーブルにされる、請求項１３に記載のワイヤレス通信装置。
　　【請求項１８】
　前記利用可能なリモート周辺デバイスのリストが、２つ以上のプロトコルを利用する発見プロセスに基づいて得られ、前記発見プロセスが、自動で、手動で、またはその組み合わせで発生させられる、請求項１３に記載のワイヤレス通信装置。
　　【請求項１９】
　前記メモリが、前記利用可能なリモート周辺デバイスのうちの２つ以上が同様の機能を提供すると判定することと、ルールのセットとの適合に基づいて
前記同様の機能を提供する
利用可能な
　　【請求項２０】
　前記メモリが、前記選択されたリモート周辺デバイスの利用可能性を監視することと、
前記選択されたリモート周辺デバイスがもはや利用可能でなければ前記リモートコンピューティング環境を選択的に非アクティブにすることと、に関連する命令をさらに保持する、請求項１３に記載のワイヤレス通信装置。
　　【請求項２１】
　利用可能なリモート周辺デバイスのリストにアクセスするための手段と、
　前記利用可能なリモート周辺デバイス
の要求
前記要求数の要求された
を規定する最小閾値のルールを満たす
自動で
　前記リモートコンピューティング環境をイネーブルにするための手段であって、前記リモートコンピューティング環境は、前記少なくとも
２つ
　を含む、前記リモートコンピューティング環境をイネーブルにするワイヤレス通信装置。
　　【請求項２２】
　前記リモートコンピューティング環境が、前記選択されたリモート周辺デバイスへのごく近接した接続に基づいて、前記利用可能なリモート周辺デバイスのうちの１つ以上への接続性を有するドッキングステーションとの相互作用に基づいて、または、ワイヤレスハブへのごく近接した接続に基づいて、自動でイネーブルにされる、請求項２１に記載のワイヤレス通信装置。
　　【請求項２３】
　　利用可能なリモート周辺デバイスのリストを得るように、コンピュータにさせるための第１のコードのセットと、
　　前記利用可能なリモート周辺デバイス
の要求
前記要求数の要求された
を規定する最小閾値のルールを満たす
２
自動で
　　リモートコンピューティング環境をアクティブにするように、前記コンピュータにさせるための第３のコードのセットと、前記リモートコンピューティング環境は、前記少なくとも２つの選ばれた利用可能なリモート周辺デバイスを含み、移動デバイスのローカルコンピューティング環境と比較して異なるユーザーエクスペリエンスを提供する、
　を含むコンピュータプログラム。
　　【請求項２４】
　利用可能なリモート周辺デバイスのリストを得るように構成された第１のモジュールと、
　前記利用可能なリモート周辺デバイス
の要求
前記要求数の要求された
を規定する最小閾値のルールを満たす
２
自動で
　前記リモートコンピューティング環境をアクティブにするように構成された第３のモジュールであって、前記リモートコンピューティング環境は、前記少なくとも
２
　　【請求項２５】
　異なる無線プロトコルに関する情報を集約することと、をさらに備える請求項１に記載の方法。
　　【請求項２６】
　前記プロセッサに結合され、異なる無線プロトコルに関連する情報を集約するように構成されたサービス発見集約部、をさらに備える請求項１３に記載のワイヤレス通信装置。
　　【請求項２７】
　前記コンピュータプログラムはさらに、前記少なくとも１つの選ばれたリモート周辺デバイスの接続性に基づいて、前記リモートコンピューティング環境を選択的に非アクティブにするように、前記コンピュータにさせるための第４のコードのセット、を備える、請求項２３に記載のコンピュータプログラム。
　　【請求項２８】
　前記プロセッサはさらに、前記少なくとも
２
選ばれた
のうちの少なくとも１つ
　　【請求項２９】
　前記プロセッサは、前記移動デバイスと結合される、請求項１３に記載のワイヤレス通信装置。
　　【請求項３０】
　前記選択するための手段は、前記移動デバイスと結合される、請求項２１に記載のワイヤレス通信装置。
　　【請求項３１】
　前記コンピュータプログラムは、前記移動デバイスと結合される、請求項２３に記載のコンピュータプログラム。
　　【請求項３２】
　前記第２のモジュールは、前記移動デバイスと結合される、請求項２４に記載のワイヤレス通信装置。
　　【請求項３３】
　前記リモートコンピューティング環境は、ローカルコンピューティング環境と同一の時間にアクティブにされる、請求項２４に記載のプロセッサ。」
（以下、この特許請求の範囲に記載された請求項を「補正後請求項」という。下線部は補正部分を表している。）
　
２．　新規事項について
（１）補正前請求項１の「前記利用可能なリモート周辺デバイス数と前記利用可能なリモート周辺デバイスのタイプとの両方の最小の組み合わせに基づいて、前記利用可能なリモート周辺デバイスのうちの少なくとも１つを選ぶこと」を、補正後「前記利用可能なリモート周辺デバイス
の要求
前記要求数の要求される
を規定する最小閾値のルールを満たす
２
自動で
要求
要求
２
自動で
要求
利用可能なリモート周辺デバイス
発見プロセス
利用可能なリモート周辺デバイスのうちの
１つを選択
（単数または複数の）リモート周辺デバイス
少なくとも閾値の数のデバイスおよび／またはタイプのデバイスの利用可能性に応じて、選ばれる
デバイスの選択の前に利用可能であるべきデバイスの最小数およびタイプ
を設定する
デバイスの最小数およびタイプ
を設定する
要求
最小閾値のルールを満たす
２
自動で
　また、請求項１３、請求項２１、請求項２３、請求項２４について、前記請求項１についての補正と同様の補正がなされているが、これらも請求項１と同様に当初明細書等に記載した事項の範囲内においてしたものではない。
　
　また、補正前請求項１２の「少なくとも１つ」、「少なくとも１つの選ばれたリモート周辺デバイスがもはや利用可能でなければ」を補正後請求項１２の「少なくとも
２
２
のうちの少なくとも１つ
　補正後請求項２８も補正後請求項１２と同様である。
　
　したがって、本件補正は、当初明細書等に記載した事項の範囲内においてしたものではないから、特許法第１７条の２第３項の規定に適合しない。
　
３．　補正の目的、独立特許要件について
　補正前請求項１の「周辺デバイス数」、「タイプ」、「最小の組み合わせに基づいて、」「少なくとも１つを選ぶ」を、補正後「周辺デバイス
の要求
前記要求数の要求される
を規定する最小閾値のルールを満たす
２
自動で
要求」
前記要求数の要求される」
規定する最小閾値のルールを満たす
２
自動で
　
３．１　特許法第３６条第６項１号、２号について
３．１．１　特許法第３６条第６項第１号
　前記「２．　新規事項について」において言及したのと同主旨で、本願特許請求の範囲の記載は、特許を受けようとする発明が発明の詳細な説明に記載されたものではないので、特許法第３６条第６項第１号の規定に違反する。
　
３．１．２　特許法第３６条第６項第２号
（１）請求項１について
　請求項１の「利用可能なリモート周辺デバイスのリストを得ることと、
　　前記利用可能なリモート周辺デバイス
の要求
前記要求数の要求される
を規定する最小閾値のルールを満たす
２
自動で
前記要求数の要求される
最小閾値のルールを満たす」
２
最小閾値
　
（２）前記（１）で検討した点について、請求項１３、２１、２３、２４の対応する事項についても同様のことがいえる。
　
　したがって、特許請求の範囲の記載は、特許を受けようとする発明が明確でないので、特許法第３６条第６項第２号の規定に違反する。
　
３・２　特許法第２９条第２項について
３．２．１　本件補正発明
　本件補正後請求項１に記載された発明（以下「本件補正発明」という。）は、前記平成２６年５月２日付の手続補正（本件補正）により補正された特許請求の範囲の請求項１に記載されたとおりの次のものである。（再掲する。）
　
「以下の動作、
　　利用可能なリモート周辺デバイスのリストを得ることと、
　　前記利用可能なリモート周辺デバイス
の要求
前記要求数の要求される
を規定する最小閾値のルールを満たす
２
自動で
　　前記リモートコンピューティング環境をアクティブにすることであって、前記リモートコンピューティング環境は、前記少なくとも
２
　を実行するためにプロセッサを用いることを含む、前記リモートコンピューティング環境をイネーブルにするための方法。」
　
３．２．２　引用文献
（１）　引用文献１
　本願優先権主張日前に頒布され、原審で引用された刊行物である米国特許出願特開第２００８／０００４０７５号公報（以下、「引用文献１」という。）には、図面とともに次の事項が記載されている。（下線は当審付与）
「[0097] If, at decision block  520 , the mobile device 
determines that remote output is desired, the mobile device proceeds to decision block  550  and determines if a Location Based Service (LBS) output application is desired.
 determine
that LBS output devices are desired
 
[0098] If LBS output devices are not desired, the mobile device proceeds to block  554  and retrieves the predetermined remote output devices and services, for example, from a list stored in memory or from a database in a connected network device. The mobile device then proceeds to block  564  where the options are presented to the user.
 
［0099] If, at decision block  550 , the mobile device determines that LBS output is desired, the mobile device proceeds to block  552  and retrieves or otherwise initiates position determination. For example, the mobile device can initiate GPS or A-GPS position location. The operation of the print application determines if the position fix needs to be known at the mobile device, or
 if a network position determination is sufficient to support the LBS
［0100] The mobile device proceeds to block  560  and determines the LBS output devices that are available. For example, the mobile device can initiate a network based position determination and, once the mobile device position is determined by a PDE on the network, can 
query a database at a network for output devices or services that are within a predetermined proximity of the mobile device location
［0101] The mobile device proceeds to block  564  and 
presents the output device and service options to the user
 
［0102] 
The mobile device can accept a user output device or service selection based on the presented options, and proceeds to block  570  to communicate the selected images to the selected output device. The mobile device can, for example, automatically configure the appropriate hardware, such as cellular telephone link or WiFi link, based on the selected output device
 
［0103] 
FIG. 6  is a simplified flowchart of a method  600  of determining remote output devices using position location services. The method  600  can be performed during the method of  FIG. 5 , for example, in response to determining that LBS output devices are desired
 
［0104] The method  600  begins at block  610  where the mobile device or UPA initiates position determination. The UPA can, for example, initiate position determination using a GPS/A-GPS module in the mobile device. The mobile device position can be determined at the mobile device or at a network PDE. 
 
［0105] 
The mobile device proceeds to block  620  and determines the criteria or parameters for filtering potential LBS output devices
the mobile device can accept user input regarding a maximum desired distance to output devices, parameters relating to identity of service providers, parameters relating to the types of output available from the output device or provider, and other parameters
desire that the output images be within a range of 1000 meters of the mobile device location
 
［0106] 
The mobile device proceeds to block  630 , where the mobile device utilizes the filter criteria to generate a query. The mobile device can query a database of output devices and service providers to determine the identity of devices and service providers, if any, that satisfy the criteria. The database can be local to the mobile device or can be in a network accessible location
 
［0107] 
The mobile device proceeds to block  640  and receives a listing of output devices satisfying the query
 
［0108] The mobile device proceeds to block  650  and displays or otherwise presents the results of the query to the user. For example, the UPA can obtain the results of the query and can forward the results to the print application for display to the user.」　
訳；「【００９７】もし、決定ブロック５２０で、モバイル装置が
リモート出力が望ましいと決定するなら、モバイル装置は決定ブロック５５０に進んで、そしてロケーションベースのサービス（ＬＢＳ）出力アプリケーションが望まれているかどうか決定する
ＬＢＳ出力装置が望まれると決定する
【００９８】もしＬＢＳ出力装置が望まれないなら、モバイル装置がブロック５５４に進んで、そして前もって決定されたリモート出力装置とサービスを、例えば、メモリにストアされたリストからあるいはネットワーク装置に接続されたデータベースから検索する。モバイル装置はそれからブロック５６４に進み、そこでオプションがユーザーに提示される。
【００９９】もし、決定ブロック５５０で、モバイル装置がＬＳＢ出力を望むと決定するなら、モバイル装置はブロック５５２に進んで、そして位置決定を始めるか検索する。例えば、モバイル装置がＧＰＳあるいはＡ−ＧＰＳ位置ロケーションを始めることができる。印刷アプリケーションのオペレーションは位置の固定（ｆｉｘ）がモバイル装置において知られている必要があるかどうか、あるいは
ネットワーク位置の決定がＬＢＳをサポートするのに十分であるかどうか決定する
【０１００】モバイル装置はブロック５６０に進み、
利用可能なＬＳＢ出力装置を決定する
モバイル装置ロケーション近傍の予め決められた範囲内の出力装置又はサービスに対してネットワーク上データベースに問い合わせる
【０１０１】モバイル装置はブロック５６４に進んで、印刷アプリケーションを経由して、例えば、
ユーザーに出力装置とサービスオプションを提示
【０１０２】
モバイル装置が提示されたオプションに基づいてユーザ出力装置又はサービス選択を受け入れることができ、そして、選択されたイメージを選択済み出力装置へコミュニケートするためにブロック５７０に進む。モバイル装置は、例えば、選択された出力装置に基づいて自動的に、携帯電話リンクあるいはＷｉＦｉリンクのような、適切なハードウェアの構成を設定することができる
【０１０３】
図６は位置ロケーションサービスを用いてリモート出力装置を決定する方法６００の簡略化されたフローチャートである。方法６００はＬＳＢ出力装置が切望されたと決定することに応じて、例えば、図５の方法の間に行なわれることができる
【０１０４】方法６００はモバイル装置あるいはＵＰＡが位置決定を始めるブロック６１０で始まる。ＵＰＡは、例えば、モバイル機器でＧＰＳ／Ａ−ＧＰＳモジュールを使ってポジション決定を始めることができる。モバイル装置位置がモバイル装置においてあるいはネットワークＰＤＥにおいて決定されることができる。　
【０１０５】
モバイル装置はブロック６２０に進んで、ポテンシャルなＬＢＳ出力装置をフィルタリングするための基準あるいはパラメータを決定する
モバイル装置は出力装置、サービスプロバイダのアイデンティティーに関連したパラメータ、出力装置あるいはプロバイダから利用可能な出力のタイプに関連したパラメータ、出力装置への最大希望距離、および他のパラメータに関してユーザ入力を受取ることができる
１０００メートルのモバイル装置ロケーションの範囲以内にあることを望む
【０１０６】
モバイル装置はブロック６３０に進み、そこでモバイル装置が問合せを作成するためにフィルター基準を利用する。モバイル装置は、もしあれば、基準を満たす出力装置とサービスプロバイダのアイデンティティーを決定するために出力装置とサービスプロバイダのデータベースに問い合わせることができる。データベースはモバイル装置にローカルであるか、あるいはネットワーク上アクセス可能なロケーションにあり得る。
【０１０７】
モバイル装置はブロック６４０に進んで、問合せを満足させている出力装置のリストを受取る
【０１０８】モバイル装置はブロック６５０に進んで、ユーザーに問合せの結果を表示するか、あるいはさもなければ提示する。例えば、ＵＰＡは問合せの結果を入手することができ、そして結果をユーザに対してディスプレイするために印刷アプリケーションへ送ることができる。」
　
　引用文献１に記載された事項を検討する。
ア．段落【０１０３】（以下、「段落」を省き、単に【０１０３】などと呼ぶ。）の「図６は位置ロケーションサービスを用いてリモート出力装置を決定する方法６００の簡素化されたフローチャートである。方法６００はＬＳＢ出力装置が切望されたと決定することに応じて、例えば、図５の方法の間に行なわれることができる」との記載から、図５のフローチャートの方法と図６のフローとは相互に参酌できる関係にあり、以下、適宜に相互に参酌する。
【０１０７】のモバイル装置が受取る「問合せを満足させている出力装置のリスト」は、【０１００】〜【０１０１】の「ネットワーク位置の決定がＬＢＳをサポートするのに十分であるかどうか決定」し、「利用可能なＬＳＢ出力装置を決定」し、この決定により「モバイル装置ロケーション近傍の予め決められた範囲内の出力装置又はサービスに対してネットワークのデータベースに問い合わせる」ことにより「ユーザーに出力装置とサービスオプションを提示」するとの記載から、「モバイル装置ロケーション近傍の」「利用可能な」「リモート出力装置」の「リスト」である。よって、「モバイル装置ロケーション近傍の利用可能なリモート出力装置のリストを得ること」をよみとることができる。
　
イ．【０１０５】の「モバイル装置はブロック６２０に進んで、ポテンシャルなＬＢＳ出力装置をフィルタリングするための基準あるいはパラメータを決定する」、例えば、「モバイル装置は出力装置、サービスプロバイダのアイデンティティーに関連したパラメータ、出力装置あるいはプロバイダから利用可能な出力のタイプに関連したパラメータ、出力装置への最大希望距離、および他のパラメータに関してユーザ入力を受取る」との記載から「出力装置、サービスプロバイダのアイデンティティーに関連したパラメータ、出力装置あるいはプロバイダから利用可能な出力のタイプに関連したパラメータ、出力装置への最大希望距離、および他のパラメータにより決定されるポテンシャルなＬＢＳ出力装置をフィルタリングするための基準あるいはパラメータ」をよみとることができ、【０１０６】〜【０１０７】の「モバイル装置が問合せを作成するためにフィルター基準を利用」し、「基準を満たす出力装置とサービスプロバイダのアイデンティティーを決定するために出力装置とサービスプロバイダのデータベースに問い合わせ」、「モバイル装置は」「問合せを満足させている出力装置のリストを受取る」との記載から、「モバイル装置が問合せを作成するためにフィルター基準を利用し、基準を満たす出力装置とサービスプロバイダのアイデンティティーを決定するために出力装置とサービスプロバイダのデータベースに問い合わせ、問合せを満足させている出力装置のリストを受取る」ことをよみとることができる。これらを合わせると「出力装置、サービスプロバイダのアイデンティティーに関連したパラメータ、出力装置あるいはプロバイダから利用可能な出力のタイプに関連したパラメータ、出力装置への最大希望距離、および他のパラメータにより決定されるポテンシャルなＬＢＳ出力装置をフィルタリングするための基準あるいはパラメータを利用して問合せを作成して、基準を満たす出力装置とサービスプロバイダのアイデンティティーを決定するために出力装置とサービスプロバイダのデータベースに問い合わせ、問合せを満足させている出力装置のリストを受取ること」をよみとることができる。
　
ウ．【０１０１】〜【０１０２】の「ユーザーに出力装置とサービスオプションを提示」、「モバイル装置が提示されたオプションに基づいてユーザ出力装置又はサービス選択を受け入れることができ」との記載から「ユーザーに出力装置とサービスオプションを提示し、提示されたオプションに基づいて出力装置又はサービス選択を可能にすること」をよみとることができる。
　　　
エ．【００９７】の決定ブロック５２０で、「リモート出力が望ましいと決定するなら、モバイル装置は決定ブロック５５０に進んで、そしてロケーションベースのサービス（ＬＢＳ）出力アプリケーションが望まれているかどうか決定」し、「ＬＢＳ出力装置が望まれると決定する」との記載、【００９９】の「ネットワーク位置の決定がＬＢＳをサポートするのに十分である」との記載から、「ロケーションベースのサービス（ＬＢＳ）がサポートされた環境」をよみとることができる。図６のフローは前記ロケーションベースのサービス（ＬＢＳ）環境（決定ブロック５５０でＹＥＳに分岐）におけるものであり、【０１０２】の「そして、選択されたイメージを選択済み出力装置へコミュニケートするためにブロック５７０に進む。モバイル装置は、例えば、選択された出力装置に基づいて自動的に、携帯電話リンクあるいはＷｉＦｉリンクのような、適切なハードウェアの構成を設定することができる」との記載から前記コミュニケートするためにロケーションベースのサービス（ＬＢＳ）環境がアクティブであることをよみとることができる。他方、前記決定ブロック５５０に進み、決定が【００９８】の「もしＬＢＳ出力装置が望まれないなら、モバイル装置がブロック５５４に進んで、」「前もって決定されたリモート出力装置とサービスを」「メモリにストアされたリストからあるいはネットワーク装置に接続されたデータベースから検索」して「オプションがユーザーに提示される」との記載、【０１０７】の「モバイル装置はローカルなデータベース問合せ」から「結果を受け取る」との記載から「ＬＢＳ出力装置が望まれないなら、前もって決定されたリモート出力装置とサービスをメモリにストアされたリストからあるいはネットワーク装置に接続されたデータベースから検索したローカルなデータベース問合せによるオプションがユーザーに提示される」ことをよみとることができる。これらを合わせると、「ロケーションベースのサービス（ＬＢＳ）がサポートされた環境をアクティブにすることができ、前記ロケーションベースのサービスがサポートされた（ＬＢＳ）の環境は、前記少なくともＬＢＳ出力装置を含み、モバイル装置のＬＢＳ出力装置が望まれないなら、前もって決定されたリモート出力装置とサービスをメモリにストアされたリストからあるいはネットワーク装置に接続されたデータベースから検索したローカルなデータベース問合せによるオプションがユーザーに提示されること」をよみとることができる。
　
オ．前記ア．〜エ．のフローを実行するためにプロセッサを用いることは自明である。また、【０１０３】の「位置ロケーションサービスを用いてリモート出力装置を決定する方法」は、エ．の「ロケーションベースのサービスがサポートされた（ＬＢＳ）の環境」をイネーブルにして（有効にして）成されることも自明である。よって、上記のフローを「実行するためにプロセッサを用いることを含む、前記ロケーションベースのサービス（ＬＢＳ）がサポートされた環境をイネーブルにするための方法」をよみとることができる。
　　
　ア．〜オ．によれば、引用文献１には、位置ロケーションサービスを用いてリモート出力装置を決定、利用するための次の発明（以下、「引用文献１発明」と呼ぶ。）が示されている。
　
「モバイル装置ロケーション近傍の利用可能なリモート出力装置のリストを得ることと、
　出力装置、サービスプロバイダのアイデンティティーに関連したパラメータ、出力装置あるいはプロバイダから利用可能な出力のタイプに関連したパラメータ、出力装置への最大希望距離、および他のパラメータにより決定されるポテンシャルなＬＢＳ出力装置をフィルタリングするための基準あるいはパラメータを利用して問合せを作成して、基準を満たす出力装置とサービスプロバイダのアイデンティティーを決定するために出力装置とサービスプロバイダのデータベースに問い合わせ、問合せを満足させている出力装置のリストを受取り、
　ユーザーに出力装置とサービスオプションを提示し、提示されたオプションに基づいて出力装置又はサービス選択を可能にすることと、
　ロケーションベースのサービス（ＬＢＳ）がサポートされた環境をアクティブにすることができ、前記ロケーションベースのサービスがサポートされた（ＬＢＳ）の環境は、前記少なくともＬＢＳ出力装置を含み、モバイル装置のＬＢＳ出力装置が望まれないなら、前もって決定されたリモート出力装置とサービスをメモリにストアされたリストからあるいはネットワーク装置に接続されたデータベースから検索したローカルなデータベース問合せによるオプションがユーザーに提示されることと、
　を実行するためにプロセッサを用いることを含む、前記ロケーションベースのサービス（ＬＢＳ）がサポートされた環境をイネーブルにするための方法。」
　
（２）　引用文献２
　本願優先権主張日前に頒布され原審で引用された刊行物である特開２００３−１９６０７６号公報（以下、「引用文献２」という。）には、図面とともに次の事項が記載されている。
　
ａ．「【００１７】一般に、
ワイヤレスのアドホックネットワーク
使用可能にされたデバイスが予め定められた範囲内及び／又は視野方向にある場合、
これらのデバイス自体によって即時に形成される
　
ｂ．「【００２３】第１のネットワーク１０２の一部を形成するのは出力デバイス１０６である。出力デバイス１０６としては、ある方法で第１ネットワーク１０２に
連結することができる任意の出力デバイスが可能
プリンタ及びファクシミリなどのレンダリングデバイス、ＣＲＴ又はフラットパネルディスプレイなどの表示デバイス、及びファイルサーバなどのファイル記憶装置
…（中略）…
【００２５】他の実施の形態では、ドキュメントサービス１１６は、翻訳サービス、要約サービス、勧告 (recommender) サービス、強化(enrichment)
サービスなど、デバイス固有ではない多数のサービスを含み、これらを単独で、又はデバイス固有サービス（例えば、印刷）の使用と併せて用いることができる
　
ｃ．「【００３６】サービス発見要求が３０６において送信される際に
１つよりも多くの出力デバイスが範囲内にありうるため、利用可能なサービスのリストを送信することによって複数の出力デバイスがサービス発見要求に応答する可能性がある
モバイルコンピュータデバイスの範囲内にある出力デバイスの数によっては、サービス発見要求が行われる際に、利用可能なサービスのリストを複数受け取る
【００３７】…（中略）…
第１に出力デバイスを識別し、
サービスを識別する
ユーザによりモバイルコンピュータデバイスにおいて出力デバイスを予め選択し、その存在を発見要求によって確認する
　
ｄ．「【００４１】３１０では、
モバイルコンピュータデバイスにとって先験的に既知である、予め定められた必要なサービスのリストから、ユーザが任意に定義可能なフィルタが、先験的に既知のサービスと、発見要求によって識別されたサービスに適用される。ユーザが任意に定義可能なフィルタは、ユーザが所望しないサービスを除去するか、又はユーザに対して表示される
フィルタは、モバイルコンピュータデバイスに最も近いと識別されるサービスを分類
選択し
最初に列挙する
【００４２】３１２では、モバイルコンピュータデバイス１１０はユーザから生じた要求を受信し、先に指定されたドキュメントリファレンスに対して選択されたサービスを行う。
ユーザから生じた要求は、選択されたサービスを行う出力デバイスのタイプ（例えば、名前、種類、製造元、フォーマットなど）を識別する
　
（ａ）ａ．の「ワイヤレスのアドホックネットワーク」は、「使用可能にされたデバイスが予め定められた範囲内及び／又は視野方向にある場合」、「これらのデバイス自体によって即時に形成される」と記載されており、この記載から、リモートコンピューティング環境を形成しているとみることができる。
（ｂ）ｂ．ｃ．ｄ．には「連結することができる任意の出力デバイス」として「プリンタ及びファクシミリなどのレンダリングデバイス、ＣＲＴ又はフラットパネルディスプレイなどの表示デバイス、及びファイルサーバなどのファイル記憶装置」が挙げられること、「翻訳」「サービスなど、デバイス固有ではない多数のサービスを含み、これらを単独で、又はデバイス固有サービス（例えば、印刷）の使用と併せて用いる」こと、「１つよりも多くの出力デバイスが範囲内にありうるため、利用可能なサービスのリストを送信することによって複数の出力デバイスがサービス発見要求に応答する可能性があ」り「モバイルコンピュータデバイスの範囲内にある出力デバイスの数によっては、サービス発見要求が行われる際に、利用可能なサービスのリストを複数受け取る」場合があること、「第１に出力デバイスを識別し、」「第２に」「特定のデバイスが行うことのできるサービスを識別する」こと、「ユーザによりモバイルコンピュータデバイスにおいて出力デバイスを予め選択し、その存在を発見要求によって確認する」こと、「モバイルコンピュータデバイスにとって先験的に既知である、予め定められた必要なサービスのリストから、ユーザが任意に定義可能なフィルタが、先験的に既知のサービスと、発見要求によって識別されたサービスに適用され」「ユーザが任意に定義可能なフィルタは、ユーザが所望しないサービスを除去するか、又はユーザに対して表示されるサービスを分類することができ」、例えば、「フィルタは、モバイルコンピュータデバイスに最も近いと識別されるサービスを分類及び選択して、ディスプレイ上に最初に列挙すること」、「ユーザから生じた要求は、選択されたサービスを行う出力デバイスのタイプ（例えば、名前、種類、製造元、フォーマットなど）を識別する」ことが記載されている。
　
３．２．３　対比
　本件補正発明と引用文献１発明とを対比する。
（１）引用文献１発明の「リモート出力装置」は【００９７】に「印刷」と記載されていることから周辺装置である印刷装置が含まれる。よって、引用文献１発明の「利用可能なリモート出力装置のリストを得ること」と本件補正発明の「利用可能なリモート周辺デバイスのリストを得ること」とに実質的な差異はない。
　
（２）引用文献１発明の各「パラメータ（値）」、「ポテンシャルなＬＢＳ出力装置をフィルタリングするための基準」は、引用文献１に「１０００メートルのモバイル装置ロケーションの範囲以内にあることを望む」との例示からパラメータが「閾値」であるものが示されている点を加味れば、本件補正発明の「閾値のルール」に相当し、引用文献１発明の「問合せを満足させている出力装置のリスト」は、基準によりフィルタリングされて自動抽出、選択された出力装置とみることができるので本件補正発明の「規定する閾値のルールを満たす前記利用可能なリモート周辺デバイスを自動で選ぶ」ことに相当する。これらの点をふまえると、引用文献１発明の「出力装置、サービスプロバイダのアイデンティティーに関連したパラメータ、出力装置あるいはプロバイダから利用可能な出力のタイプに関連したパラメータ、出力装置への最大希望距離、および他のパラメータにより決定されるポテンシャルなＬＢＳ出力装置をフィルタリングするための基準あるいはパラメータを利用して問合せを作成して、基準を満たす出力装置とサービスプロバイダのアイデンティティーを決定するために出力装置とサービスプロバイダのデータベースに問い合わせ、問合せを満足させている出力装置のリストを受取り」と本件補正発明の「前記利用可能なリモート周辺デバイスの要求数と前記利用可能なリモート周辺デバイスの前記要求数の要求されるタイプとの両方の最小の組み合わせを規定する最小閾値のルールを満たす前記利用可能なリモート周辺デバイスのうちの少なくとも２つを自動で選ぶこと」とは、「前記利用可能なリモート周辺デバイスと前記利用可能なリモート周辺デバイスの前記タイプとの両方を規定する閾値のルールを満たす前記利用可能なリモート周辺デバイスを自動で選ぶこと」で共通する。
　
（３）引用文献１発明の「ロケーションベースのサービス（ＬＢＳ）がサポートされた環境」、「ＬＢＳ出力装置」、「モバイル装置」は、それぞれ本件補正発明の「リモートコンピューティング環境」、「リモート周辺デバイス」「移動デバイス」に相当し、引用文献１発明の「ロケーションベースのサービスがサポートされた（ＬＢＳ）の環境」は、「モバイル装置のＬＢＳ出力装置が望まれないなら、前もって決定されたリモート出力装置とサービスをメモリにストアされたリストからあるいはネットワーク装置に接続されたデータベースから検索したローカルなデータベース問合せによるオプションがユーザーに提示される」、いわば、ローカルな環境に比較して異なるロケーションベースのサービスの環境とみることができ、この環境は前記ローカルな環境とは異なるユーザ経験を提供するものであるといえる。してみれば、引用文献１発明の「前記ロケーションベースのサービス（ＬＢＳ）がサポートされた環境をアクティブにすることができ、前記ロケーションベースのサービスがサポートされた（ＬＢＳ）の環境は、前記少なくともＬＢＳ出力装置を含み、モバイル装置のＬＢＳ出力装置が望まれないなら、前もって決定されたリモート出力装置とサービスをメモリにストアされたリストからあるいはネットワーク装置に接続されたデータベースから検索したローカルなデータベース問合せによるオプションがユーザーに提示されること」と本件補正発明の「前記リモートコンピューティング環境をアクティブにすることであって、前記リモートコンピューティング環境は、前記少なくとも２つの選ばれた利用可能なリモート周辺デバイスを含み、移動デバイスのローカルコンピューティング環境と比較して異なるユーザーエクスペリエンスを提供する、こと」とは「前記リモートコンピューティング環境をアクティブにすることであって、前記リモートコンピューティング環境は、前記少なくとも選ばれた利用可能なリモート周辺デバイスを含み、移動デバイスのローカルコンピューティング環境と比較して異なるユーザーエクスペリエンスを提供する、こと」で共通する。
　
（４）引用文献１発明の「を実行するためにプロセッサを用いることを含む、前記ロケーションベースのサービス（ＬＢＳ）がサポートされた環境をイネーブルにするための方法」と本件補正発明の「を実行するためにプロセッサを用いることを含む、前記リモートコンピューティング環境をイネーブルにするための方法」とに実質的な差異はない。
　
　（１）〜（４）の対比によれば、引用文献１発明と本件補正発明とは次の点で一致し、そして相違している。
　
〈一致点〉
「以下の動作、
　利用可能なリモート周辺デバイスのリストを得ることと、
　前記利用可能なリモート周辺デバイスと前記利用可能なリモート周辺デバイスの前記タイプとの両方を規定する閾値のルールを満たす前記利用可能なリモート周辺デバイスを自動で選ぶことと、
　前記リモートコンピューティング環境をアクティブにすることであって、前記リモートコンピューティング環境は、前記少なくとも選ばれた利用可能なリモート周辺デバイスを含み、移動デバイスのローカルコンピューティング環境と比較して異なるユーザーエクスペリエンスを提供する、こと
　を実行するためにプロセッサを用いることを含む、前記リモートコンピューティング環境をイネーブルにするための方法。」　
　
〈相違点１〉
　前記利用可能なリモート周辺デバイスと前記利用可能なリモート周辺デバイスの前記タイプとの両方を規定する閾値のルールを満たす前記利用可能なリモート周辺デバイスを自動で選ぶことが、本件補正発明は、前記利用可能なリモート周辺デバイス「の要求数」と前記利用可能なリモート周辺デバイスの前記「要求数の要求される」タイプとの両方「の最小の組み合わせ」を規定する「最小」閾値のルールを満たす前記利用可能なリモート周辺デバイス「のうちの少なくとも２つ」を自動で選ぶことであるのに対し、引用文献１発明はそのようであるのか不明である点。
〈相違点２〉
　リモートコンピューティング環境が、本件補正発明は、少なくとも「２つの」選ばれた利用可能なリモート周辺デバイスを含むのに対し、引用文献１発明はそのようであるのか不明である点。
　
３．２．４　相違点についての当審判断
〈相違点１〉について
　引用文献２には、「ワイヤレスのアドホックネットワーク」は、「使用可能にされたデバイスが予め定められた範囲内及び／又は視野方向にある場合」、「これらのデバイス自体によって即時に形成される」と記載されており、リモートコンピューティング環境におけることが示されている。また、引用文献２には、「連結することができる任意の出力デバイス」として「プリンタ及びファクシミリなどのレンダリングデバイス、ＣＲＴ又はフラットパネルディスプレイなどの表示デバイス、及びファイルサーバなどのファイル記憶装置」が挙げられること、「翻訳」「サービスなど、デバイス固有ではない多数のサービスを含み、これらを単独で、又はデバイス固有サービス（例えば、印刷）の使用と併せて用いる」こと、「１つよりも多くの出力デバイスが範囲内にありうるため、利用可能なサービスのリストを送信することによって複数の出力デバイスがサービス発見要求に応答する可能性があ」り「モバイルコンピュータデバイスの範囲内にある出力デバイスの数によっては、サービス発見要求が行われる際に、利用可能なサービスのリストを複数受け取る」場合があること、「第１に出力デバイスを識別し、」「第２に」「特定のデバイスが行うことのできるサービスを識別する」こと、「ユーザによりモバイルコンピュータデバイスにおいて出力デバイスを予め選択し、その存在を発見要求によって確認する」こと、「モバイルコンピュータデバイスにとって先験的に既知である、予め定められた必要なサービスのリストから、ユーザが任意に定義可能なフィルタが、先験的に既知のサービスと、発見要求によって識別されたサービスに適用され」「ユーザが任意に定義可能なフィルタは、ユーザが所望しないサービスを除去するか、又はユーザに対して表示されるサービスを分類することができ」、例えば、「フィルタは、モバイルコンピュータデバイスに最も近いと識別されるサービスを分類及び選択して、ディスプレイ上に最初に列挙すること」、「ユーザから生じた要求は、選択されたサービスを行う出力デバイスのタイプ（例えば、名前、種類、製造元、フォーマットなど）を識別する」ことが記載されている。
　前記「予め選択」された「出力デバイス」、「フィルタ」に関するサービスの「任意の定義」は「ルール」に相当し、「連結することができる任意の出力デバイス」として「プリンタ及びファクシミリなどのレンダリングデバイス、ＣＲＴ又はフラットパネルディスプレイなどの表示デバイス、及びファイルサーバなどのファイル記憶装置」は、数の観点からして、使用（利用）可能なリモート周辺デバイスの「要求数」に相当し、「デバイス固有サービス（例えば、印刷）の使用と併せて用いる」との記載からデバイスとデバイス固有のサービスが対応していてサービスとデバイスが等価に選択されるものが示され、「選択されたサービスを行う出力デバイスのタイプ（例えば、名前、種類、製造元、フォーマットなど）を識別する」といった識別に係る「出力デバイス識別、サービス識別」は、使用（利用）可能なリモート周辺デバイスの「要求数」と前記利用可能なリモート周辺デバイスの前記「要求数の要求されるタイプ」との両方の組み合わせに相当し、このタイプに係る言及に加え、「フィルタは、モバイルコンピュータデバイスに最も近いと識別されるサービスを分類及び選択して、ディスプレイ上に最初に列挙する」ことは、「最小の組み合わせ（出力デバイス識別、サービス識別）」を規定する「最小」閾値のルールを満たす前記利用可能なリモート周辺デバイスを自動で選ぶことに相当する。しかも、「連結することができる任意の出力デバイスが可能」であり「プリンタ及びファクシミリなどのレンダリングデバイス、ＣＲＴ又はフラットパネルディスプレイなどの表示デバイス、及びファイルサーバなどのファイル記憶装置」があり、「「翻訳」「サービスなど、デバイス固有ではない多数のサービスを含み、これらを単独で、又はデバイス固有サービス（例えば、印刷）の使用と併せて用いる」ことができることから、デバイス「のうちの少なくとも２つ」を選ぶことは必要により適宜なされる態様でしかない。してみれば、引用文献２には、リモートコンピューティング環境におけるものであり、使用（利用）可能なリモート周辺デバイスの「要求数」と前記利用可能なリモート周辺デバイスの前記「要求数の要求されるタイプ」との両方の「最小の組み合わせ」を規定する「最小」閾値のルールを満たす前記利用可能なリモート周辺デバイス「のうちの少なくとも２つ」を自動で選ぶことに相当する技術が示されている。
　引用文献１発明において、前記利用可能なリモート周辺デバイスと前記利用可能なリモート周辺デバイスの前記タイプとの両方を規定する閾値のルールを満たす前記利用可能なリモート周辺デバイスを自動で選ぶことが、前記利用可能なリモート周辺デバイス「の要求数」と前記利用可能なリモート周辺デバイスの前記「要求数の要求される」タイプとの両方「の最小の組み合わせ」を規定する「最小」閾値のルールを満たす前記利用可能なリモート周辺デバイス「のうちの少なくとも２つ」を自動で選ぶことであると成すことは、前記引用文献２発明の技術を参酌することにより当業者が容易になし得ることである。
　
〈相違点２〉について　
　前記〈相違点１〉について、において言及した事項に「整合」させ、引用文献１発明において、リモートコンピューティング環境が、少なくとも「２つの」選ばれた利用可能なリモート周辺デバイスを含むと成すことは、当業者が容易になし得ることである。
　
　したがって、本件補正発明の構成は、引用文献１発明において、引用文献２に示された技術を参酌し適用することにより当業者が容易になし得ることである。
　
　そして、本件補正発明の構成により奏する効果も引用文献１発明および引用文献２の技術から当然予測される範囲内のもので格別顕著なものとは認められない。
　
　よって、本件補正発明は当業者が引用文献１発明および引用文献２の技術から容易に発明することができたものである。
　
　
３．２．５　小括
　以上のとおり、本件補正発明は、特許出願前に日本国内又は外国において、頒布された刊行物に記載された発明又は電気通信回線を通じて公衆に利用可能となった発明に基いて当業者が容易に発明をすることができたものであるから、特許法第２９条第２項の規定により、独立して特許を受けることができないものである。
　
４．　むすび
　したがって、本件補正は、当初明細書等に記載した事項の範囲内においてしたものではないから、特許法第１７条の２第３項の規定に違反するので同法第１５９条第１項において読み替えて準用する同法第５３条第１項の規定により却下すべきものである。また、仮に、本件補正が、当初明細書等に記載した事項の範囲内においてしたものであるとしても、特許法第１７条の２第６項で準用する同法第１２６条第７項の規定に違反するので、同法第１５９条第１項において読み替えて準用する同法第５３条第１項の規定により却下すべきものである。
　
　よって、上記補正却下の決定の結論のとおり決定する。　
　
第３　本願発明について
（１）本願発明
　平成２６年５月２日付の手続補正は前記のとおり却下されたので、本願の請求項１に係る発明は、平成２５年８月２６日付の手続補正書により補正された特許請求の範囲の請求項１に記載されたとおりの次の事項により特定されるものである。（再掲する。以下「本願発明」という。）
　
「以下の動作、
　　利用可能なリモート周辺デバイスのリストを得ることと、
　　前記利用可能なリモート周辺デバイス数と前記利用可能なリモート周辺デバイスのタイプとの両方の最小の組み合わせに基づいて、前記利用可能なリモート周辺デバイスのうちの少なくとも１つを選ぶことと、
　　前記リモートコンピューティング環境をアクティブにすることであって、前記リモートコンピューティング環境は、前記少なくとも１つの選ばれた利用可能なリモート周辺デバイスを含み、移動デバイスのローカルコンピューティング環境と比較して異なるユーザーエクスペリエンスを提供する、ことと
　を実行するためにプロセッサを用いることを含む、前記リモートコンピューティング環境をイネーブルにするための方法。」
　
（２）引用文献
　原審の拒絶の理由に引用された、本願優先権主張日前に頒布された刊行物である前記引用文献１、２には、前記第２の３．２．２（１）及び（２）で摘記した事項が記載されている。
　
（３）対比・判断
　本願発明は、前記第２の「３．補正の目的、独立特許要件について」で検討した本件補正発明における発明特定事項である、「周辺デバイス
の要求
前記要求数の要求される
を規定する最小閾値のルールを満たす
２
自動で
　そうすると、本願発明の構成要件をすべて含み、さらに他の構成要件を付加したものに相当する本件補正発明が、前記第２の３．２に記載したとおり、引用文献１発明に基いて、当業者が容易に発明をすることができたものであるから、本願発明も、同様の理由により、引用文献１発明に基いて当業者が容易に発明をすることができたものである。
　
（４）むすび
　以上のとおり、本願発明は、特許出願前に日本国内又は外国において、頒布された刊行物に記載された発明又は電気通信回線を通じて公衆に利用可能となった発明に基いて当業者が容易に発明をすることができたものであるから、特許法第２９条第２項の規定により特許を受けることができないものであるから、本願は、拒絶すべきものである。
　
　よって、結論のとおり審決する。